(57)【要約】【課題】従来のボールペンレフィルの構造を踏襲することができ、インキのドライアップ及びチップ先端部からのインキ垂れ下がりを防止し、且つノック衝撃によるインキ逆流の発生しにくい、インキを直詰めしたノック式ボールペンを提供する。【解決手段】ノック体を押圧作動することにより、ボールペンチップのチップ先端部を軸筒先端開口部から出没可能な、インキ収容管にボールペン用インキを直詰めしてなるノック式ボールペンであって、前記軸筒内に、チップ先端部が没入時に前記空気孔を閉鎖し、前記チップ先端部が突出時に前記空気孔を開放する弁部材を、軸筒内に固設してなる弁機構を具備するとともに、該弁部材を弾性体で形成する。【選択図】        図１
2004306348.tif 000002
【特許請求の範囲】
【請求項１】
軸筒内に、先端部にボールを回転自在に抱持したボールペンチップを直接又はチップホルダーを介して具備し、後端部に内外を連通する通気孔を形成してなるインキ収容管を、コイルスプリングにより軸筒後端方向に付勢して摺動自在に配置し、ノック体を押圧作動することにより、前記ボールペンチップのチップ先端部を軸筒先端開口部から出没可能な、前記インキ収容管にボールペン用インキを直詰めしてなるノック式ボールペンであって、前記軸筒内に、チップ先端部が没入時に前記空気孔を閉鎖し、前記チップ先端部が突出時に前記空気孔を開放する弁部材を、軸筒内に固設してなる弁機構を具備するとともに、該弁部材を弾性体で形成したことを特徴とするノック式ボールペン。
【発明の詳細な説明】
【０００１】
【発明の属する技術分野】
本発明は、ボールペンチップを軸筒先端開口部から出没可能なノック式ボールペンに関する。
【０００２】
【従来の技術】
【特許文献１】
「実公平７−３０３８６号公報」
【特許文献２】
「特開平９−１７５０８２号公報」
【特許文献３】
「特許第３１９７５４２号公報」
【０００３】
インキ収容管の先端部に、ボールを回転自在に抱持したボールペンチップを具備し、ノック体を押圧作動することにより、ボールペンチップを軸筒先端開口部から出没可能なノック式ボールペンについてはよく知られている。こうしたノック式ボールペンに収容するボールペンレフィルとして、インキ収容管内にボールぺン用インキ、ボールぺン用インキの後端面に密接してインキの消費に追従するインキ追従体を直に収容し、インキ収容管の先端部にはチップホルダーを介して、ボールを回転自在に抱持したボールペンチップを装着し、さらに、インキ収容管の後端部には内外を連通する通気孔を有する尾栓を装着したものはよく知られている。
【０００４】
前記従来のインキ収容管にインキ吸蔵体を配設しない、インキを直詰めするタイプのボールペンレフィルを用いたノック式ボールペンは、チップ先端部からインキが垂れ下がる現象について注意が必要となる。特にノック式ボールペンは常時ボールペンチップが露出しているので、インキの垂れ下がりを防止することは重要な課題である。
【０００５】
こうしたノック式ボールペンにおいて、インキの垂れ下がりを防止するため、チップ内にコイルスプリングを配設し、コイルスプリングの弾発力により、非使用時にはボールをチップ先端縁の内壁面に押圧し、筆記時の押圧力によりチップ先端縁の内壁とボールに間隙を与えインキを流出させる弁機構を具備することも知られているが、ボールに用いる材質は、超硬材やセラミック材、チップ本体に用いる材質もステンレス鋼、真鍮、硬質樹脂等の硬質材であるため完全に密閉することは困難である。
【０００６】
ところで、油性ボールペンのインキ吐出のメカニズムは、チップ先端のボールが回転し、ボールに付着したインキが筆記面に転写されることによって筆跡となり、水性ボールペンのインキ吐出のメカニズムは、チップ先端のボールの回転を背景にして、筆記面に毛管、浸透作用によってインキが移行することによって筆跡となる等、インキの特性によってインキ吐出のメカニズムは相違するものの、チップ先端からインキ吐出を行うには、加圧により強制的にインキを吐出可能としない限り、チップ先端部にインキを供給するインキ収容管は、内部のインキの減少に伴って内圧が低下してインキ供給が不能となることから、このインキ収容管の内外を連通する空気孔を形成して内圧を緩和し、インキの供給が良好に行えるようにする必要がある。その構造としては、インキ収容管の後端部に内部に連通する通気孔を形成したり、通気孔を形成した尾栓を装着したものなどが採用されている。
【０００７】
【本発明が解決しようとする課題】
しかし、前記のような通気孔を開口したものでは、通常インキ収容管の内部と外部とが連通していることから、筆記具を使用しなくても長期間の放置によって、インキが蒸発するドライアップ現象が生じ、筆記できなくなる恐れがある。
【０００８】
こうした問題を鑑み、実公平７−３０３８６号公報「ノック式水性筆記具レフィールの空気孔開閉装置」や特開平９−１７５０８２号公報「ノック式筆記具」等で、非筆記時に通気孔を開閉する機構が開示されている。
【０００９】
しかしながら、ボールペンチップを軸筒先端開口部から出没可能なノック式ボールペンにおいては、ボールペンチップが軸筒先端開口部から突出した状態から、没入させるときに発生するノック衝撃によって、インキが逆流する恐れがあった。
【００１０】
本発明は、従来のボールペンレフィルの構造を踏襲することができ、インキのドライアップ及びチップ先端部からのインキ垂れ下がりを防止し、且つノック衝撃によるインキ逆流の発生しにくい、インキを直詰めしたノック式ボールペンを提供するものである。
【００１１】
【課題を解決する手段】
前記目的を達成するために本発明では、軸筒内に、先端部にボールを回転自在に抱持したボールペンチップを直接又はチップホルダーを介して具備し、後端部に内外を連通する通気孔を形成してなるインキ収容管を、コイルスプリングにより軸筒後端方向に付勢して摺動自在に配置し、ノック体を押圧作動することにより、前記ボールペンチップのチップ先端部を軸筒先端開口部から出没可能な、前記インキ収容管にボールペン用インキを直詰めしてなるノック式ボールペンであって、前記軸筒内に、チップ先端部が没入時に前記空気孔を閉鎖し、前記チップ先端部が突出時に前記空気孔を開放する弁部材を、軸筒内に固設してなる弁機構を具備するとともに、該弁部材を弾性体で形成する。
【００１２】
本発明に使用する弁部材は、力を加えると変形を起こし力を取り去ると変形も元に戻る弾性変形可能な弾性体からなり、例えば、天然ゴム、シリコーンゴム、ブチルゴム、フッ素ゴム、塩化ビニル樹脂、ブタジエンゴム、ウレタンゴム、ポリエチレン樹脂、その他合成ゴム等が例示できる。弾性体で形成することにより密閉性が向上するので好ましい。
【００１３】
【発明の実施の形態】
以下に図面に示す実施例に基づいて本発明を具体的に説明する。
図１から図５に示すノック式ボールペン１は、前軸２と後軸３を螺合した軸筒内にボールペンレフィルがコイルスプリング６によって後軸後端３ａ方向に付勢された状態で収納されている。ボールペンレフィルの構造は、従来から知られているもので、インキ収容管７内にボールぺン用インキ１６、ボールぺン用インキ１６の後端面に密接してインキの消費に追従するインキ追従体１７を直に収容し、インキ収容管７の先端部にはチップホルダー８を介して、ボールを回転自在に抱持し、先端縁の内壁をボールと同形の球面状に形成したボールペンチップ９を装着してある。また、インキ収容管７の後端部には内外を連通する通気孔１０ａを有する尾栓１０を装着したものである。
【００１４】
ボールペンチップ９のチップ先端部９ａを前軸２の先端開口部２ａから出没させる機構は、従来から知られているもので、簡単に説明すると、後軸３の内壁面に回転カム５を前後に摺動案内し回転させるためのカム溝（図示せず）を形成し、このカム溝に、回転カム５に形成した突起５ａを係合して配設してある。回転カム５の後端には、前記回転カム５を摺動し回転を付与するためのカム部を先端に有したノック体４を、ノック体４の後端部が後軸後端３ａより外方に突出した状態に配設した構造である。
【００１５】
回転カム５の前方には、ノック体４に連動し、空気流路１３ａを有する押圧部材１３を配設してある。また、後軸３内には、弾性体からなる弁部材１１をチップ先端部９が前軸先端開口部２ａより没入した状態で、尾栓１０の空気孔１０ａを閉鎖するように、後軸３内に固設した固定部材１２に固着されている。固定部材１２には、押圧部材１３が摺動可能とするため空間部１２ａを形成してある。
【００１６】
図１に示す状態からノック体４を押圧作動すると、前述のとおり、回転カム５が回転力を付与された状態で前進し、回転カム５の前方に配設した押圧部材１３を前進させ、尾栓１０に当接し、その後、図３に示すように、ボールペンチップ９の先端部９ａが前軸の先端開口部２ａから突出した状態を維持する。この状態で、ノック体４への押圧力を解除しても、ノック体４は前軸の先端開口部２ａ方向に移動したままなので、チップ先端部９ａが突出した状態がノック体４からも確認できる。その結果、弁部材１１は尾栓１０から離れ、尾栓１０に形成された空気孔１０ａを開口し、押圧部材１３に形成した空気流路１３ａと尾栓１０に形成された空気孔１０ａが連通するので、筆記によりインキを消費するとこれと当量の空気が置換して空気孔１０ａからインキ収容管７内に進入し、筆記不良を生じることがない。図３に示す状態から再度ノック体４を押圧作動すると、チップ先端部９ａが前軸２内に没入し、図１に示す状態に戻る。
【００１７】
非使用時には弁部材１１によって尾栓１０の空気孔１０ａを閉鎖することによってインキが空気孔１０ａを通って蒸発するインキのドライアップを防止し、長期間放置しても筆記可能となる。また、空気の置換ができないため、チップ先端部９ａからのインキ垂れ下がりを防止することができる。また、弁部材１１を弾性体で形成することにより、尾栓１０の空気孔１０ａの閉鎖を効果的に行えるともに、チップ先端部９ａが突出した状態から没入する時の衝撃を吸収する緩衝材にもなる。
【００１８】
ボールペンチップ９の形状や構造は特に限定されるものではなく、図示はしていないが、非使用時にはチップ先端に回転自在に抱持したボールを、コイルスプリングにより直接または押圧体を介して、ボールの後端に当接させ、チップ先端縁の内壁面に押圧して、筆記時の押圧力によりチップ先端縁の内壁とボールに間隙を与えインキを流出させる弁機構を具備すると、ドライアップ及びインキ垂れ下がりの防止効果が向上するので好ましい。
【００１９】
また、弁部材の配設構造は前記実施例に限定されるものではないが、軸筒内に固設してあるので、尾栓の空気孔との位置ずれが発生しにくく、また、チップ先端部が没入時に尾栓の空気孔を閉鎖する閉鎖力を、弾性体の硬度によっても異なるが、ボールペンレフィルを付勢するコイルスプリングの付勢力によって設定することができる。
【００２０】
【発明の効果】
本発明のノック式ボールペンは、前述した構成なので、従来のボールペンレフィルの構造を踏襲することができ、インキのドライアップ及びチップ先端部からのインキ垂れ下がりを防止し、且つノック衝撃によるインキ逆流の発生しにくい、インキを直詰めしたノック式ボールペンを提供することができた。
【図面の簡単な説明】
【図１】本発明のノック式ボールペンを示す縦断面図である。
【図２】図１における一部省略した要部拡大図である。
【図３】図１におけるチップ先端部を突出した状態を示す縦断面図である。
【図４】図１におけるＡ−Ａ断面図である。
【図５】図１における一部省略した要部の部品図である。
【符号の説明】
１  ノック式ボールペン
２  前軸
２ａ  先端開口部
３  後軸
３ａ  後端部
４  ノック体
５  回転カム
６  コイルスプリング
７  インキ収容管
８  チップホルダー
９  ボールペンチップ
１０  尾栓
１０ａ  空気孔
１１  弁部材
１２  固定部材
１３  押圧部材
１４  クリップ
１５  グリップ部材
１６  ボールペン用インキ
１７  インキ追従体
【図１】
2004306348.tif 000003
【図２】
2004306348.tif 000004
【図３】
2004306348.tif 000005
【図４】
2004306348.tif 000006
【図５】
2004306348.tif 000007